(57)【要約】【課題】天井空間部高さの低減化、取付作業の省力化、部材の省略化と、仮止め機能の付与を図る。【解決手段】断面コ字形状の野縁受けの背面部同士を接合した状態で、支持し、固定できる野縁受け金具である。本体部10の中央部に膨出部12を設け、この膨出部12に螺子挿通孔13を設けて吊りボルト頭部の格納スペースを形成する。本体部10の平面視対角線位置の角部の側縁部15s から本体部10下面中央側に向かって折返し部16をそれぞれに設け、これらの折返し部16が野縁受けの側縁部を挟持することができる。それぞれの折返し部16の先端部を更に下方略直角に延長して当接部17を形成する。折返し部16, 16の間隔距離を野縁受けの横幅の長さと略同一とする。【選択図】図１
2012127102.tif 000002
【特許請求の範囲】
【請求項１】
天井下地を構成する断面略コ字形状の野縁受けの背面部同士を接合した状態で、支持し、固定できる野縁受け金具であって、
本体部(10)の中央部には吊下げ部材と連結できる受部を設け、
本体部(10)の平面視点対称位置に位置する角部の側縁部(15s) には、その側縁部(15s) から本体部(10)下面中央側に向かって、その下面に沿うように折り返す折返し部(16)をそれぞれに設け、これらの折返し部(16, 16)が野縁受けの側縁部を挟持することができ、
これにより断面略コ字形状の野縁受けの背面部同士を接合した状態で、上方から本体部(10)下面で点対称位置に設けられた折返し部(16, 16)の間に野縁受の両側縁部を配置して、本体部(10)を適宜角度回転することにより両折返し部(16, 16)が野縁受けの両側の側縁部と嵌合して、これを挟持し、支持できることを特徴とする野縁受け金具。
【請求項２】
吊下げ部材が吊りボルト(B)であって、その受部が本体部(10)中央に設けた螺子挿通孔(13)と、この螺子挿通孔(13)が設けられた部分を上方に膨出した膨出部(12)とからなり、この膨出部(12)が吊りボルト(B)の頭部の格納スペースとなることを特徴とする請求書１に記載の野縁受け金具。
【請求項３】
それぞれの折返し部(16)の先端部を更に下方に略直角に延長して当接部(17)を形成し、
これらの当接部(17, 17)がそれぞれ野縁受けの背面部に当接することを特徴とする請求項１又は２に記載の野縁受け金具。
【請求項４】
本体部(10)の横断面が略ハット形状を有して、膨出部(12)が本体部(10)の略中央縦断方向の全体に渡り設けられ、
膨出部(12)の両側の底面部(14, 14)において、平面視対角線部位で、前記中央縦断方向で相互に外側方向に延長する延設部(15, 15)を設け、この延設部(15, 15)のそれぞれの両側側縁部(15s, 15s)から折返し部(16)が形成されていることを特徴とする請求項２又は３に記載の野縁受け金具。
【請求項５】
折返し部(16, 16)同士の間隔を、背面部が接合された状態の野縁受けの横幅距離と略同一とすることにより、本体部(10)を接合状態の野縁受けの上方から接合した際に、両折返し部(16, 16)の側縁部(16s, 16s)が野縁受けの両側縁部を一時的に挟持して仮止めを行い、その後本体部(10)を回転して両折返し部(16, 16)が野縁受けの両側縁部と嵌合して、これを挟持することを特徴とする請求項１乃至４の何れか１項に記載の野縁受け金具。
【請求項６】
本体部(10)の両側縁部(15s, 15s)において、折返し部(16, 16)が設けられていない側の下面に下方に突出する突出部(19, 19)を設け、当該野縁受け金具が野縁受けに取り付けられた際に、これらの突出部(19, 19)が野縁受けの両側の側縁部の外側に位置して野縁受けの側縁部と係合することを特徴とする請求項１乃至５の何れか１項に記載の野縁受け金具。
【発明の詳細な説明】
【技術分野】
【０００１】
本発明は、天井下地を構成する野縁受けを接合し、固定するための野縁受け金具の改良に関するものである。
【背景技術】
【０００２】
従来より建造物の天井下地の構造としては、躯体から吊り金具（吊下げ部材）を用いて野縁受けを配設固定し、この野縁受けの下方に直角に交差するように野縁を配設してクリップ等の各種金具を用いてこれら野縁受けと野縁を相互に固定していた。
これらの従来例は、例えば下記特許文献２の図１０乃至図１２に図示されている。
【０００３】
即ち、天井スラブに埋込インサートを設備し、この埋込インサートに吊りボルトをねじ込み、この吊りボルトの下端ネジ部に二重ナットによりハンガーを取り付け、このハンガーにより断面コ字形状の溝型型鋼からなる野縁受けを支持し、これら野縁受けの下面で直交する方向にクリップ金具によって野縁を支持したものである。
これらの野縁が所定間隔で平行に配設された後に、これら野縁の下面側に石膏ボード等の天井板がビス留めされ、固定されるのである。
【０００４】
また、上記従来例と同様に、下記特許文献１の図１３及び図１４にも従来の野縁受けが図示されている。
この従来例では、吊りボルトに２つの上下のナットによって野縁受けが支持されており、野縁受けと野縁は上記同様に連結金具クリップにより野縁受けの下面に直交するように連結固定されている。
【０００５】
これらの従来例に対して下記特許文献１に記載の発明は、上記野縁受けと野縁の両者を連結固定するクリップ金具の使用を無くしたもので、連結固定が容易で、省資源に寄与するものである。
そして、野縁受けと野縁の連結固定を、主爪部材と補助爪部材の係合によって行ったものであるが、野縁受けを支持する構造は、上記従来例と同様に、直接吊りボルトと２つの上下ナットによる固定であった。
この特許文献１の発明にあっては、野縁受けの下面に野縁が固定されるために、天井空間部の上下の高さの縮小化には寄与できなかった。
【０００６】
そこで、上記天井空間の縮小化を一つの課題とし、野縁受けや野縁の取り付け作業の省力化をも目的として下記特許文献２に係る発明が提案された。
この従来の発明では、野縁受けとして断面コ字形状の鋼製部材の背面部を背合せに配置して、その間にスペーサを適宜間隔で介在させて、両背面部の間にスリット状溝を形成し、このスリット状溝を利用して断面逆Ｌ字形状の野縁受け金具を用いて支持固定したものである。
【０００７】
そして、野縁受けとしては、上記断面コ字形状の鋼部材の背面部を背合せに配置している関係上、両側に断面コ字形状の溝部が対向形成されることとなり、これら対向する断面コ字形状溝部内にスタッド材からなる野縁の端部を簡単に嵌合させることができ、それ故、野縁受けと野縁の底面がほぼ面一状態となり、天井空間の上下方向長さを小さくすることができたのである。
【０００８】
しかしながら、特許文献２に記載の野縁受け金具にあっては、予め断面コ字形状の野縁受けの背面部同士の間に適宜間隔でスペーサを固定して設けておく必要があり、この作業が一工程必要となる。
また、スペーサも必須部材と成り、省資源化の点でも課題の存するところである。
更には、天井スラブ等の躯体からの吊りボルト等による支持において、その吊りボルトの支持方向が両野縁受けの背面部接合線と一致していない。
【０００９】
即ち、野縁受けの重心を通る中心線と支持する吊りボルトの支持中心線とが一致しないという課題も存する。というのも、野縁受け金具として断面逆Ｌ字形状の板材を使用し、その水平の固定座板部に上記吊りボルトを連結しているからである。
また、野縁受け金具として断面逆Ｌ字形状の板材を使用している関係上、上方の水平の固定座板の下面で螺合している固定調整用ナットの締め付けのために、野縁受けの上方フランジ部を切り欠く必要もあり、この作業も余分な作業となるのである。
【先行技術文献】
【特許文献】
【００１０】
【特許文献１】特開２０００−２６５５７３号公報
【特許文献２】特開２０００−２５７２０５号公報
【発明の概要】
【発明が解決しようとする課題】
【００１１】
そこで、本発明においては、上記各種問題点を考慮して、特許文献２に記載されている野縁受け金具と異なる形式を採用して、天井空間部の高さの低減化、取付作業の省力化、部材の省略化を図り、省資源にも寄与することをその課題としている。
更に、本発明においては、断面コ字形状の野縁受けの背面部同士を接合してこれらを１組の野縁受けとして構成し、固定するため、この２つの野縁受けを固定する際に、本発明に係る野縁受け金具が仮止め機能を発揮できることもその課題とするものである。
【課題を解決するための手段】
【００１２】
上記課題を解決するために、本発明の第１のものは、天井下地を構成する断面略コ字形状の野縁受けの背面部同士を接合した状態で、支持し、固定できる野縁受け金具であって、本体部の中央部には吊下げ部材と連結できる受部を設け、本体部の平面視点対称位置に位置する角部の側縁部には、その側縁部から本体部下面中央側に向かって、その下面に沿うように折り返す折返し部をそれぞれに設け、これらの折返し部が野縁受けの側縁部を挟持することができ、これにより断面略コ字形状の野縁受けの背面部同士を接合した状態で、上方から本体部下面で点対称位置に設けられた折返し部の間に野縁受の両側縁部を配置して、本体部を適宜角度回転することにより両折返し部が野縁受けの両側の側縁部と嵌合して、これを挟持し、支持できることを特徴とする野縁受け金具である。
【００１３】
本発明の第２のものは、上記第１の発明において、吊下げ部材が吊りボルトであって、その受部が本体部中央に設けた螺子挿通孔と、この螺子挿通孔が設けられた部分を上方に膨出した膨出部とからなり、この膨出部が吊りボルトの頭部の格納スペースとなっていることを特徴とする野縁受け金具である。
【００１４】
本発明の第３のものは、上記第１又は第２の発明において、それぞれの折返し部の先端部を更に下方に略直角に延長して当接部を形成し、これらの当接部がそれぞれ野縁受けの背面部に当接することを特徴とする野縁受け金具である。
【００１５】
本発明の第４のものは、上記第２又は第３の発明において、本体部の横断面が略ハット形状を有して、膨出部が本体部の略中央縦断方向の全体に渡り設けられ、膨出部の両側の底面部において、平面視対角線部位で、前記中央縦断方向で相互に外側方向に延長する延設部を設け、この延設部のそれぞれの両側側縁部から折返し部が形成されていることを特徴とする野縁受け金具である。
【００１６】
本発明の第５のものは、上記何れかの発明において、折返し部同士の間隔を、背面部が接合された状態の野縁受けの横幅距離と略同一とすることにより、本体部を接合状態の野縁受けの上方から接合した際に、両折返し部の側縁部が野縁受けの両側縁部を一時的に挟持して仮止めを行い、その後本体部を回転して両折返し部が野縁受けの両側縁部と嵌合して、これを挟持することを特徴とする野縁受け金具である。
【００１７】
本発明の第６のものは、上記何れかの発明において、本体部の両側縁部において、折返し部が設けられていない側の下面に下方に突出する突出部を設け、当該野縁受け金具が野縁受けに取り付けられた際に、これらの突出部が野縁受けの両側の側縁部の外側に位置して野縁受けの側縁部と係合することを特徴とする野縁受け金具である。
【発明の効果】
【００１８】
本発明の第１のものにおいては、まず、断面コ字形状の野縁受けの背面部同士を接合した野縁受けを支持し、固定できるタイプのものであるため、この野縁受けの両側に対向する断面コ字形状の溝部内に野縁の端部を簡単に嵌合させて、天井下地を組み立てることができ、天井内部空間の高さを小さくすることができ、室内空間高さをより高くすることができる。
【００１９】
現場で断面コ字形状の野縁受けの背面部を接合固定する際にも、本発明に係る金具が接合される両者の仮止めの効果をも発揮し、本発明に係る野縁受け金具によって断面コ字形状の野縁受けの背面部同士を接合して螺子止め又はボルトナット等々による固定を行なうことができることとなる。
【００２０】
また、本発明に係る野縁受け金具においては、上記特許文献２に記載のものと比較すれば、その構成及び固定方式は全く異なるが、スペーサ等の余分な部材及びこれらスペーサを適宜間隔に配置して螺子止めする作業も全く不要であり、省力化及び省資源化にも寄与することとなる。
尚、本発明に係る野縁受け金具を吊り下げる吊り下げ部材としては、請求項２に特定する吊りボルトのほかに、吊り金具やクリップ金具等の各種の吊下げ部材を利用することができ、その受部もこれらの形態に対応する挿通穴や膨出部等の組み合わせによって実施することができるものである。
【００２１】
本発明の第２のものにおいては、上記効果を有すると共に、吊下げ部材が吊りボルトであって、その受部が本体部中央に設けた螺子挿通孔と、この螺子挿通孔が設けられた部分を上方に膨出した膨出部とからなり、この膨出部が吊りボルトの頭部の格納スペースとなっており、適切に吊りボルトによって吊下げられることとなる。
更に、特許文献２に記載の野縁受け金具と比較すれば、本発明に係る金具にあっては、吊りボルトが支持する支持中心線と、野縁受けの重心を通る中心線とが一致し、極めて適切な吊り支持状態を得ることができる。
また、本発明に係る野縁受け金具では、特許文献２に記載の金具のように、下側の高さ調整ナットの締め付けのために、野縁受けの上方フランジ部を切り欠く必要もなく、作業効率が高いものと言える。
【００２２】
本発明の第３のものにおいては、上記発明と同じ効果を発揮すると共に、それぞれの折返し部の先端部を更に下方に略直角に延長して当接部を形成し、これらの当接部がそれぞれ野縁受けの背面部に当接するため、断面コ字形状の野縁受けの背面部の接合固定に際して、背面部をより密着した状態に保持させることができ、その後の両背面部同士の螺着作業に際しても極めて便利なものとなる。
【００２３】
本発明の第４のものにおいては、上記の効果を有するものであって、野縁受け金具の形態をより具体化したものである。
即ち、本体部の横断面が略ハット形状を有して、膨出部が本体部の略中央縦断方向の全体に設けるように形成するために、そのプレス成形加工が容易となるのである。
また、延設部を設けて、この延設部に折返し部を形成し、この折返し部の位置により、よりその金具による野縁受けの挟持を良好なものとしている。
延設部を設けているのは、材料取りを良好にするためであり、省資源に寄与できる。つまり、底面部の広さをより小さく設計できるからである。
【００２４】
本発明の第５のものにおいては、折返し部の間隔を背面部が接合された状態の野縁受けの横幅距離と略同一とすることにより、本体部を接合状態の野縁受けの上方から接合した際に、両折返し部の側縁部同士が野縁受けの両側縁部を一時的に挟持して仮止めを行うことができるために、この金具を回転させて、両折返し部が両野縁受けの両側フランジ部を挟持する前に、単に両野縁受け金具の上方フランジ部に載置した状態で、両フランジ部の両側縁部を折返し部の側縁部が挟持して、仮止め状態とすることができるのである。
【００２５】
本発明の第６のものにおいては、本体部の両側縁部において、折返し部が設けられていない側の下面に下方に突出する突出部を設け、当該野縁受け金具が野縁受けに取り付けられた際に、これらの突出部が野縁受けの両側の側縁部の外側に位置して野縁受けの側縁部と係合する。
それ故、この発明においては、この野縁受け金具を野縁受けに取り付けた状態で、対角線上に位置する両折返し部と、他方の対角線上に位置することとなる両突出部とにより、４点で野縁受けの両側縁部を固定することとなり、より適切に仮止め及び取り付けが行なわれることとなる。
【図面の簡単な説明】
【００２６】
【図１】本発明の野縁受け金具の第１実施形態を図示する斜視図である。
【図２】本発明の野縁受け金具の第２実施形態を図示しており、その（Ａ）が平面図、その（Ｂ）が正面図、その（Ｃ）が側面図である。
【図３】本発明に係る野縁受け金具の取付状態を示す正面説明図である。
【図４】本発明に係る野縁受け金具の取付状態を示す斜視説明図である。
【発明を実施するための形態】
【００２７】
以下、添付の図面と共に本発明の実施形態について説明する。
図１は、本発明の野縁受け金具の第１実施形態を図示する斜視図である。
本発明に係る野縁受けの本体部１０は、スチール製の板材から成形され、その中央部の長手方向（縦断方向）の全体に上方に膨出する膨出部１２が設けられ、その膨出部１２の中央部に吊りボルトの軸部を挿通できる螺子挿通孔１３が穿設されている。
従って、この実施形態の横断面形状は略ハット形状となる。
【００２８】
膨出部１２の下端部には両側方向に略水平に底面部１４、１４が延長し、これら底面部１４、１４の長手方向（縦断方向）にそれぞれ反対向きにそれぞれ延長する延設部１５、１５が形成されている。
従って、延設部１５、１５は、それぞれ本体部１０の対角線方向或いは点対称位置に配置されることとなる。
【００２９】
これらの延設部１５、１５のそれぞれの側縁部１５ｓから延設部１５の下面側の中央部方向に、この下面に沿って折り返すように形成された折返し部１６がそれぞれ形成されている。
これらの折返し部１６と延設部１５によって、図には現れていない断面コ字形状の野縁受けの上方フランジ部と嵌合して、この上方フランジ部を挟持することができる。
【００３０】
従って、本体部１０の対角線方向の角部に設けられた２組の延設部１５と折返し部１６が、背面部同士が接合された断面コ字形状の野縁受けの対向する両側のフランジ部の側縁部と嵌合して、これら１組の野縁受けを接合した状態で固定することができる。
その後、背面部同士が接合された断面コ字形状の野縁受け同士を螺子止め又はボルトナット等により固定するのである。
この場合には、本発明に係る金具は、仮止め機能を発揮することとなる。
勿論のこととして、予め断面コ字形状の野縁受けの背面部同士を螺子止め等しておき、その後本発明に係る金具を取り付けることもできる。
【００３１】
更に本発明においては、上記それぞれの折返し部１６、１６の先端の側縁部から下方略直角に延長する当接部１７、１７を設けている。
この当接部１７の中央側の側面１７ｓと延設部１５の側縁部１５ｓとの距離が、断面コ字形状の野縁受けの上方フランジ部の幅方向の長さとほぼ同一に形成している。
【００３２】
この当接部１７、１７は、上記の通り、延設部１５の側縁部１５ｓからの距離が野縁受けの上方フランジ部との距離と略同一としているために、断面コ字形状の野縁受けの背面部に当接することができるのである。
これにより、本発明に係る野縁受け金具の当接部１７、１７が、背面部同士が接合された断面コ字形状の１組の野縁受けが接合された状態で、これら野縁受けの背面部に反対方向から対向するするように当接し、野縁受けの背面部同士の接合をより密着した状態に保持することができることとなるのである。
この点は、本発明の大きな一つの特徴的な効果となるものである。
【００３３】
図２は、本発明の野縁受け金具の第２実施形態を図示しており、その（Ａ）が平面図、その（Ｂ）が正面図、その（Ｃ）が側面図である。
この第２実施形態は、上記第１の実施形態とその基本形態はほぼ同一であるが、その材料取り等を考慮して少し形状が異なる。
【００３４】
即ち、本体部１０の中央部縦断方向（図（Ａ）では上下方向）の全体に膨出部１２が形成され、その中央部には角穴からなる螺子挿通孔１３が穿設され、膨出部１２の両側には底面部１４、１４が設けられ、この底面部１４、１４の対角線位置の角部からそれぞれ上下方向に、それぞれ反対方向に延長する延設部１５、１５を設け、これらの延設部１５、１５から延設部１５の下面側で中央部方向に折曲する折返し部１６、１６が設けられ、その折返し部１６から下方に当接部１７が形成されている。
折返し部１６の内側縁と当接部１７の中央側の側面１７ｓとの距離は、上記第１実施形態と同様、野縁受けの上方フランジ部の長さと同一に形成されている。
【００３５】
この第２実施形態で前記第１実施形態と異なる点は、底面部１４の両側側縁部に切欠部２０、２０が設けられている点と、底面部１４において、延設部１５の反対側に下面に少し突出する突出部１９をそれぞれ設けている点である。
底面部１４の両側縁に設けた上記突出部１９、１９は、本発明に係る金具が野縁受けに取り付けられた際に、これら突出部１９、１９が、野縁受けの上方フランジ部の側縁部と係合して、野縁受けの接合をより堅固に成すためのものである。
尚、これらの突出部１９、１９及び切欠部２０、２０は、任意の構成要素である。
【００３６】
ここで、本発明に係る野縁受け金具を野縁受けに取り付ける手順について図２（Ａ）を用いて説明する。
この第２実施形態に係る野縁受け金具においては、この図において上下に位置する折返し部１６、１６の対面する側縁部１６ｓ、１６ｓ同士の間の間隔距離Ｗを、被取付部材である背面部が接合された断面コ字形状の野縁受けの上方フランジ部の横幅と同一に形成している。
【００３７】
これにより、背面部が接合された野縁受けの上方フランジ部の両側縁部にこれら折返し部１６、１６の側縁部１６ｓ、１６ｓが当接し、仮止め機能を発揮する。
つまり、この第２実施形態においては、野縁受け金具を野縁受けの上方フランジ部に載置して、接合させた最初の状態で仮止め機能を発揮できるのである。
この状態を図２（Ａ）が図示しており、仮想線で示した野縁受けＮの図中上下に位置する折返し部１６、１６の側縁部１６ｓ、１６ｓが嵌まりこんだ状態で、仮止めを行なっている。
【００３８】
その後、金具の本体部１０を、野縁受けＮの上面で、右方向Ｄに９０度回転させるのである。
これにより、延設部１５と折返し部１６の間に野縁受けの上方フランジ部が嵌まり込み、当接部１７が野縁受けの背面部に当接し、突出部１９、１９も野縁受けの両側フランジ部の側縁部と適合して係合し、完全に背面部が接合した状態に野縁受けを固定することができるのである。  
【００３９】
図３及び図４は、本発明に係る野縁受け金具を使用した取付状態を示すもので、図３がその正面説明図、図４がその斜視説明図である。
本発明に係る野縁受け金具１０は、その中央部にある螺子挿通孔に吊りボルトＢを下から挿通して使用する。
その際、膨出部１２内のスペースの存在により、吊りボルトＢの頭部がこの膨出部１２の内部に配置して格納され、野縁受けＮ１、Ｎ２との連結に問題を生じない。
吊りボルトＢは、吊り金具Ｋに支持され、吊り金具Ｋは、上階床部を構成するＨ型鋼等からなる躯体Ｈに支持されるのである。
【００４０】
本発明に係る野縁受け金具１０を用いて背面部同士が接合された断面略コ字形状の野縁受けが支持され、固定された後は、野縁受けＮ１、Ｎ２の両側の断面コ字形状の溝部にスタッド材等からなる野縁Ｎ３の端部が容易に嵌め入れられるのである。
このようにして、天井下地構造が形成され、図４から良く判る通り、この構成を採用することにより、野縁受けと野縁とが略同一面内に配設されることとなり、天井内部空間の高さをより小さくすることができるのである。
尚、図３において、本体部１０の当接部１７、１７が、野縁受けＮ１、Ｎ２の背面部Ｍ、Ｍにそれぞれ当接している状態を見て取ることができる。また、図３中背面部Ｍ、Ｍの接合箇所に黒丸が表示されているが、これはビス止め箇所を表示したものである。
また図４では、背面部が接合された野縁受けＮ１、Ｎ２の上方フランジ部Ｆ、Ｆに本発明に係る野縁受け金具１０が取り付けられて、支持した状態を明瞭に見て取ることができる。  
【００４１】
以上、本発明の実施形態について説明したが、以下の通りその形態を種々変更することができる。
本発明に係る野縁受け金具の形状やサイズ等は、必要に応じて種々設計変更が可能である。
本体部の略中央部に設けた螺子挿通孔も丸穴、角穴、長孔等自由に設計変更可能である。
【００４２】
膨出部１２の形態も、上記実施形態のように、その中央部横断方向の全体に渡り設けずに実施することもでき、螺子挿通孔１３の部分のみ上方に膨出させて、吊りボルトの頭部を格納できるスペースを形成できればよいのである。
この膨出部１２の形態は、適宜製造方法との兼ね合いで決定することができる。
更に、吊りボルトの他に、他の形態の吊下げ部材、例えば他の形態の吊り金具やクリップ金具等を使用することができ、これら他の形態の吊下げ部材を利用する際には、これに対応する受部を本体部に設けることによって実施可能となる。
【００４３】
折返し部１６も、膨出部１２の両側の底面部１４、１４の角部から延設部１５を設けて、その下面に設けたが、この延設部１５を設けずに、底面部の対角線方向に位置する角部から直接その下面側中央部方向に折返し部を形成することもできる。
折返し部同士の対向する両側縁部の間隔距離Ｗ（図２（Ａ））も野縁受けの上方フランジ部の幅に適合させずに実施することもできる。
本発明に係る野縁受け金具を回転して延設部又は底面部と折返し部とで野縁受けの上方フランジ部を挟持して、仮止めが可能だからである。
折返し部の先端縁に設けた当接部１７も、これを設けずに実施することもできるし、図２に示した底面部の両側縁下方に設けた突出部１９、１９も形成せずに実施することもできる。
【００４４】
以上、本発明は、簡易な構成ではあるが、その折返し部と当接部の存在により、背面部が接合された断面コ字形状の野縁受けを適切に接合、固定することができ、しかも、これら野縁受けの接合、固定に際して、極めて良好な仮止め機能をも発揮し、且つ、余分な部材をも使用せず、省力化と省資源化を実現した極めて著大な効果を発揮する野縁受け金具を提供することができたものである。
【符号の説明】
【００４５】
１０  本体部（野縁受け金具）
１２  膨出部
１３  螺子挿通孔
１４  底面部
１５  延設部
１５ｓ  側縁部
１６  折返し部
１７  当接部
１９  突出部
Ｂ  吊りボルト
Ｋ  吊り金具
Ｈ  躯体
Ｎ１、Ｎ２  野縁受け
Ｆ  
Ｎ３  野縁
Ｍ  背面部（野縁受けの）
【図１】
2012127102.tif 000003
【図２】
2012127102.tif 000004
【図３】
2012127102.tif 000005
【図４】
2012127102.tif 000006